(57)【要約】      （修正有）【課題】構成が簡素化されることにより製造コストが低減される垣根ユニットを提供する。【解決手段】垣根本体を形成する複数の丸パイプ１，１，１・・・と、複数の丸パイプ１，１，１・・・に直交させて貫通配列された複数の支持部材２，２，２・・・と、支持部材２の端部が嵌入係止される溝部を有する端部支持部材４と、端部支持部材４が装着される支柱５とを備えてなる垣根ユニットＵである。垣根ユニットＵにおいては、支持部材２に丸パイプ１，１間の間隔を保持する間隔保持ピース３が挿通されて垣根本体に隙間が形成されたり、丸パイプ１の所要数が支持部材２，２間で切断されて窓が形成される。【選択図】図１
0003185523.tif 000002
【実用新案登録請求の範囲】
【請求項１】
垣根本体を形成する複数の中空部材と、前記複数の中空部材に直交させて貫通配列された複数の支持部材と、前記支持部材の端部を支持する溝部を有する端部支持部材と、を備えてなることを特徴とする垣根ユニット。
【請求項２】
端部支持部材の溝に中空部材が配設され、前記中空部材に支持部材の端部が嵌入されてなることを特徴とする請求項１記載の垣根ユニット。
【請求項３】
支持部材に中空部材間の間隔を保持する間隔保持ピースが挿通されてなることを特徴とする請求項１記載の垣根ユニット。
【請求項４】
中空部材の所要数が支持部材間で切断されて窓が形成されてなることを特徴とする請求項１記載の垣根ユニット。
【請求項５】
端部支持部材が羽付溝型部材とされてなることを特徴する請求項1記載の垣根ユニット。
【考案の詳細な説明】
【技術分野】
【０００１】
本考案は垣根ユニットに関する。さらに詳しくは、構成が簡素化されてなる垣根ユニットに関する。
【背景技術】
【０００２】
従来より、竹を格子状に配設してなる垣根が知られている。
【０００３】
かかる従来の垣根は自然の竹を用い、しかも格子状の組み上げは細縄を用いてなされているところから、劣化しやすく寿命が短いという難点がある。
【０００４】
かかる自然の竹を用いた垣根の欠点を解消すべく、特許文献１には、人工竹を用いた丸竹パネルユニットが提案されている。
【０００５】
しかしながら、特許文献１の提案に係る丸竹パネルユニットにおいては、両端にネジが切られた丸棒、つまりネジ棒を用いてナット留めにてパネルユニットを形成するようにされているところから、製作が煩雑でありかつ製造コストも高いという問題がある。
【先行技術文献】
【特許文献】
【０００６】
【特許文献１】実用新案登録第３１４５５４７号公報
【考案の開示】
【考案が解決しようとする課題】
【０００７】
本考案はかかる従来技術の課題に鑑みなされたものであって、構成が簡素化されることにより製造コストが低減される垣根ユニットを提供することを目的としている。
【課題を解決するための手段】
【０００８】
本考案の垣根ユニットは、垣根本体を形成する複数の中空部材と、前記複数の中空部材に直交させて貫通配列された複数の支持部材と、前記支持部材の端部を支持する溝部を有する端部支持部材と、を備えてなることを特徴とする。
【０００９】
本考案の垣根ユニットにおいては、端部支持部材の溝に中空部材が配設され、前記中空部材に支持部材の端部が嵌入されてなるのが好ましい。
【００１０】
また、本考案の垣根ユニットにおいては、支持部材に中空部材間の間隔を保持する間隔保持ピースが挿通されてもよい。
【００１１】
また、本考案の垣根ユニットにおいては、中空部材の所要数が支持部材間で切断されて窓が形成されてもよい。
【００１２】
また、本考案の垣根ユニットにおいては、端部支持部材が羽付溝型部材とされてもよい。
【考案の効果】
【００１３】
本考案は前記の如く構成されているので、製作コストの低減が図られるとともに、製作期間および施工期間も著しく短縮されるという優れた効果を奏する。
【図面の簡単な説明】
【００１４】
【図１】本考案の一実施形態に係る垣根ユニットを支柱に取り付けた状態の平面図である。
【図２】同正面図である。
【図３】本考案の変形例の図２相当図である。
【図４】本考案の他の変形例の要部概略図である。
【図５】本考案のさらに他の変形例の要部概略図である。
【考案を実施するための形態】
【００１５】
以下、添付図面を参照しながら本考案を実施形態に基づいて説明するが、本考案はかかる実施形態のみに限定されるものではない。
【００１６】
図１および図２に、本考案の一実施形態に係る垣根ユニットＵを支柱５に取り付けた状態示す。
【００１７】
垣根ユニットＵは、図１および図２に示すように、垣根本体を形成する所要数の丸パイプ１，１，１・・・と、丸パイプ１，１，１・・・に直交させて貫通配列された所要数の支持部材２，２，２・・・と、支持部材２に挿通されて丸パイプ１，１の間隔を保持する間隔保持ピース３と、支持部材２の両端を支持する端部支持部材４とを主要構成要素として備えてなるものとされる。
【００１８】
丸パイプ１は、合成樹脂やアルミ合金からなるものとされ、表面に着色や木質状の模様が形成される。なお、丸パイプ１は人工竹とされてもよい。
【００１９】
支持部材２は、例えばアルミ合金やステンレスからなる丸パイプや角パイプとされる。つまり、支持パイプとされる。なお、支持部材２は丸棒や角棒とされてもよい。
【００２０】
間隔保持ピース３は、丸パイプ１，１の間隔を保持するに必要な寸法に切断された中空材とされる。中空材の内径は支持部材２に挿通できるように調整されている。例えば、内径は支持部材２の外径より若干大きくされる。
【００２１】
端部支持部材４は、溝型鋼の底部から外方に向けて突片４ａが形成されてなるもの、いわゆる羽付溝形鋼とされる。材質は、軽量化および加工性を考慮してアルミ合金とされる。溝の幅は、支持部材２の端部が嵌め込みできるサイズとされる。つまり、溝の幅は、支持部材２の端部外径より大きくされている。
【００２２】
端部支持部材４は、溝を外方に向けて突片４ａを支柱(例えば角パイプ)５に、例えばビス留めすることにより支柱５に装着される。ビス留めに替えて溶接あるいは接着剤により固着されることにより装着されてもよい。また、端部支持部材４への支持部材２端部の取り付けは、支持部材２端部を溝に嵌め込んだ状態で溝の側壁にビス留めすることによりなされる。
【００２３】
なお、図示例に示すように、溝に端部の丸パイプ１が嵌め込まれ、ビスをその丸パイプ１を貫通させることにより支持部材２の端部が溝の側壁に支持されるようにされてもよい。
【００２４】
このように、本実施形態によれば、所要数の丸パイプ１，１，１・・・を定法にてパネル化した後、端部支持部材４に支持部材２端部をビス留めするという簡単な作業により垣根ユニットＵを制作できる。そのため、製作期間あるいは施工期間が著しく短縮される。また、支持部材２端部にはネジを切る必要がないので、支持部材２の製造コストの低減が図られる。
【００２５】
以上、本考案を実施形態に基づいて説明してきたが、本考案はかかる実施形態のみに限定されるものではなく、種々改変が可能である。
【００２６】
例えば、本実施形態では、垣根本体を形成する部材は丸パイプ１とされているが、垣根本体を形成する部材は丸パイプ１に限定されるものではなく、各種形状のパイプとでき、例えば角パイプ(四角、六角、八角など)とすることもできる。
【００２７】
また、本実施形態では丸パイプ１は上から下まで連続したいわゆる一本物とされているが、丸パイプ１の適宜本数を支持部材２，２間で切断してパネルに窓Ｗを設けるようにされてもよい(図３参照)。
【００２８】
また、本実施形態では丸パイプ１と丸パイプ１との間には間隔保持ピース３が介装されているが、間隔保持ピース３を一部あるいは全部設けずして丸パイプ１，１相互が部分的あるいは全面的に当接するようにされてもよい(図４参照)。
【００２９】
また、本実施形態では支柱５は角パイプとされるとともに、端部支持部材４底面は平面とされているが、支柱５を丸パイプとするとともに、端部支持部材底面を支柱の外面に沿うよう曲面にとするようにされてもよい(図５参照)。
【産業上の利用可能性】
【００３０】
本考案は造園産業に適用できる。
【符号の説明】
【００３１】
Ｕ          垣根ユニット
Ｗ          窓
１          丸パイプ
２          支持部材
３          間隔保持ピース
４          端部支持部材
４ａ        突片
５          支柱
【図１】
0003185523.tif 000003
【図２】
0003185523.tif 000004
【図３】
0003185523.tif 000005
【図４】
0003185523.tif 000006
【図５】
0003185523.tif 000007